(57)【特許請求の範囲】
【請求項１】
一対の筐体がヒンジ軸を介して互いに開閉可能に連結され、一方の筐体の内部から他方の筐体の内部へ向けてフレキシブルリードが延びており、該フレキシブルリードは、前記ヒンジ軸の周囲に螺旋状に巻き付けられた巻き付け部を有している折り畳み式電子機器において、
前記フレキシブルリードの巻き付け部は、ヒンジ軸の周囲に、前記一方の筐体側から他方の筐体側へ延びる経路において他方の筐体が開くときの回転方向と同一方向に巻き付けられており、
前記一方の筐体には、回路基板の収容空間を防水するための防水栓が設置され、該防水栓は、前記一方の筐体を構成するフロントキャビネットとバックキャビネットの間に挟持され、該防水栓をフレキシブルリードがバックキャビネット側からフロントキャビネット側へ貫通している、
ことを特徴とする折り畳み式電子機器。
【請求項２】
前記一方の筐体の内部には回路基板が設置され、該回路基板上から前記フレキシブルリードが引き出され、フレキシブルリードは、前記一方の筐体の内部にてヒンジ軸と直交する面内でＵ字状に屈曲する折り返し部を経て、前記螺旋状巻き付け部へ至っており、Ｕ字状折り返し部は、前記ヒンジ軸と前記回路基板との間に位置している請求項１に記載の折り畳み式電子機器。
【請求項３】
前記一方の筐体は、前記ヒンジ軸側の端面に、少なくとも１つの部品が配置されている請求項１又は請求項２に記載の折り畳み式電子機器。
【請求項４】
前記防水栓は、フレキシブルリードのＵ字状折り返し部と螺旋状巻き付け部の間に配置されている請求項１乃至請求項３の何れかに記載の折り畳み式電子機器。
【発明の詳細な説明】
【技術分野】
【０００１】
本発明は、折り畳み式携帯電話機の如く一対の筐体が互いに開閉可能に連結された折り畳み式電子機器に関するものである。
【背景技術】
【０００２】
折り畳み式携帯電話機は、一対の筐体を互いに開閉可能に連結して構成され、両筐体の間はフレキシブルリードによって互いに電気的に接続されている(特許文献１)。
【０００３】
例えば図８に示す折り畳み式携帯電話機においては、第１筐体(９)と第２筐体(91)とがヒンジ部(92)を介して互いに連結されている。
第１筐体(９)は図９及び図１０に示す如く、フロントキャビネット(9a)とバックキャビネット(9b)とを互いに接合して構成され、フロントキャビネット(9a)とバックキャビネット(9b)との間にはシャーシ(99)が挟持され、該シャーシ(99)上に回路基板(90)が設置されている。
【０００４】
フレキシブルリード(94)は、回路基板(90)上から引き出され、第１筐体(９)のヒンジ部側の端部の内部に形成されたＬ字状屈曲部(95)を経て、ヒンジ軸(93)の周囲に螺旋状に巻き付けられた後、第２筐体へ向かって延びている。
ここで、フレキシブルリード(94)には、図１０及び図１１に示す様に、第１筐体側から第２筐体側へ向かう経路において第２筐体が閉じるときの回転方向と同じ方向に旋回する、螺旋状の巻き付け部(96)が形成されている。
【０００５】
又、第１筐体(９)の内部には、フレキシブルリード(94)の引き出し経路に沿ってシャーシ(99)側へ水が浸入することを防止するべく、防水栓(97)が設置されており、該防水栓(97)をフレキシブルリード(94)が貫通している。
尚、防水栓(97)は固定部品(98)を用いて第１筐体(９)に固定されている。
【先行技術文献】
【特許文献】
【０００６】
【特許文献１】特開２０１１−８２７３７号公報
【発明の概要】
【発明が解決しようとする課題】
【０００７】
しかしながら、図８〜図１１に示す従来の折り畳み式携帯電話機においては、図１０の如く、第１筐体(９)のヒンジ部側の端部には、フレキシブルリード(94)のＬ字状屈曲部(95)が存在し、該Ｌ字状屈曲部(95)は、筐体の開閉に伴って変位するため、この空間Ｓには部品等を配置することが出来ず、この空間Ｓを有効に活用することが出来ない問題があった。
【０００８】
そこで本発明の目的は、一対の筐体が互いに開閉可能に連結されている折り畳み式電子機器において、一方の筐体のヒンジ部側の端部に形成される空間を有効活用することである。
【課題を解決するための手段】
【０００９】
本発明に係る折り畳み式電子機器においては、第１筐体(１)を具えた第１本体と第２筐体(２)を具えた第２本体とがヒンジ軸(31)を介して互いに開閉可能に連結され、第１筐体(１)の内部から第２筐体(２)の内部へ向けてフレキシブルリード(７)が延びており、該フレキシブルリード(７)は、前記ヒンジ軸(31)の周囲に螺旋状に巻き付けられた巻き付け部(72)を有している。
ここで、フレキシブルリード(７)の巻き付け部(72)は、ヒンジ軸(31)の周囲に、第１筐体(１)側から第２筐体(２)側へ延びる経路において第２筐体(２)が開くときの回転方向と同一方向、即ち第２筐体(２)を開くことによって縮径することとなる方向に巻き付けられている。
【００１０】
上記本発明の折り畳み式電子機器によれば、フレキシブルリード(７)の巻き付け部(72)が、第２筐体(２)を開くときの回転方向と同じ方向に巻き付けられているので、第１筐体(１)の内部から巻き付け部(72)へ向けて延びるフレキシブルリード(７)を、第１筐体(１)のヒンジ軸(31)側の端部よりも手前の位置で屈曲させて、巻き付け部(72)へ繋げることが出来る。
これによって、第１筐体(１)のヒンジ軸(31)側の端部を迂回するフレキシブルリード(７)の経路が形成されることになる。
【００１１】
具体的態様において、第１筐体(１)の内部には回路基板(５)が設置され、該回路基板(５)上から前記フレキシブルリード(７)が引き出され、フレキシブルリード(７)は、第１筐体(１)の内部にてヒンジ軸(31)と直交する面内でＵ字状に屈曲する折り返し部(71)を経て、前記巻き付け部(72)へ至っており、該折り返し部(71)は、第１筐体(１)のヒンジ軸(31)側の端部よりも回路基板(５)側に離間して位置している。
【００１２】
該具体的態様によれば、第１筐体(１)のヒンジ軸(31)側の端部にフレキシブルリード(７)が存在しないため、例えば、該端部に部品を配置することが可能となる。
【００１３】
更に具体的な態様において、第１筐体(１)には、回路基板(５)の収容空間を防水する防水栓(８)が設置され、該防水栓(８)は、第１筐体(１)を構成するフロントキャビネット(14)とバックキャビネット(15)の間に挟持され、該防水栓(８)をフレキシブルリード(７)がバックキャビネット(15)側からフロントキャビネット(14)側へ貫通している。
【００１４】
該具体的態様によれば、防水栓(８)がフロントキャビネット(14)とバックキャビネット(15)の間に挟持されているので、防水栓(８)を固定するための特別な固定部品は不要である。
【００１５】
更に又、具体的な態様において、前記防水栓(８)は、フレキシブルリード(７)の折り返し部(71)と巻き付け部(72)の間に配置されている。
該具体的態様によれば、第２筐体(２)の開閉に伴ってフレキシブルリード(７)の折り返し部(71)が変位することはない。
【発明の効果】
【００１６】
本発明に係る折り畳み式電子機器において、一方の筐体のヒンジ部側の端部に形成される空間を有効活用することが出来る。
【図面の簡単な説明】
【００１７】
【図１】図１は、本発明の一実施形態である折り畳み式携帯電話機の閉じた状態を示す斜視図である。
【図２】図２は、該折り畳み式携帯電話機の開いた状態を示す斜視図である。
【図３】図３は、該折り畳み式携帯電話機の閉じた状態を異なる方向から見た斜視図である。
【図４】図４は、該折り畳み式携帯電話機の開いた状態を示す一部破断斜視図である。
【図５】図５は、該折り畳み式携帯電話機を構成する第１筐体の一部破断斜視図である。
【図６】図６は、第１筐体の分解状態を示す一部破断斜視図である。
【図７】図７は、第１筐体に配備されたシャーシとフレキシブルリードの一部破断分解斜視図である。
【図８】図８は、従来の開いた状態を示す一部破断斜視図である。
【図９】図９は、該折り畳み式携帯電話機を構成する第１筐体の一部破断斜視図である。
【図１０】図１０は、第１筐体の分解状態を示す一部破断斜視図である。
【図１１】図１１は、第１筐体に配備されたシャーシとフレキシブルリードの一部破断分解斜視図である。
【発明を実施するための形態】
【００１８】
以下、本発明を折り畳み式携帯電話機に実施した形態につき、図面に沿って具体的に説明する。
本発明の一実施形態である折り畳み式携帯電話機は、図１及び図２に示す如く、第１筐体(１)と第２筐体(２)をヒンジ部(３)により互いに開閉可能に連結して構成され、第１筐体(１)の内面には複数の操作キー(11)が配備される一方、第２筐体(２)の内面と背面にはそれぞれメイン画面(21)とサブ画面(22)が配備されている。
【００１９】
図３に示す如く、第１筐体(１)のヒンジ部(３)側の端面には、２つの操作キー(12)(13)が配備されており、第２筐体(２)を閉じた状態でこれらの操作キー(12)(13)を操作することによって、ブロードバンドを通じた双方向のコミュニケーション(チャット)が可能である。
【００２０】
図４に示す如く、第１筐体(１)には、回路基板(５)が収容されている。又、第２筐体(２)には、メイン画面(21)とサブ画面(22)を形成するべく、メインディスプレイ(６)とサブディスプレイ(61)が内蔵されている。
そして、回路基板(５)から引き出されたフレキシブルリード(７)が、ヒンジ部(３)の内部を経て、メインディスプレイ(６)及びサブディスプレイ(61)に繋がっている。
【００２１】
第１筐体(１)は、図５及び図６に示す如く、フロントキャビネット(14)とバックキャビネット(15)とを互いに接合して構成され、フロントキャビネット(14)とバックキャビネット(15)の間にはシャーシ(17)が挟持され、該シャーシ(17)上に回路基板(５)が設置されている。
【００２２】
フレキシブルリード(７)は、回路基板(５)上から引き出された後、第１筐体(１)のヒンジ軸(31)側の端部から回路基板(５)側へ離れた位置に形成されたＵ字状の折り返し部(71)を経て、ヒンジ軸(31)の周囲に螺旋状に巻き付けられた巻き付け部(72)に至り、更に第２筐体へ向かって延びている。
【００２３】
フレキシブルリード(７)のＵ字状折り返し部(71)は、図６及び図７に示す様に、ヒンジ軸(31)側の端部、即ち操作キー(12)及びその関連部品が配備されている端部から回路基板(５)側に離れた位置に形成されており、ヒンジ軸(31)と直交する面内で、フロントキャビネット(14)側へ開口するＵ字状に屈曲している。
フレキシブルリード(７)の螺旋状巻き付け部(72)は、ヒンジ軸(31)の周囲に、第１筐体(１)側から第２筐体(２)側へ向かう経路において第２筐体(２)が開くときの回転方向と同一方向、即ち第２筐体(２)を開くことによって縮径することとなる方向に巻き付けられている。
【００２４】
図７に示す如く、フレキシブルリード(７)の第１筐体側の端部には、コネクター(73)が設けられ、該コネクター(73)が第１筐体内の回路基板(５)に接続される。
フレキシブルリード(７)の第２筐体側の端部には、コネクター(74)が設けられ、該コネクター(74)が第２筐体内のメインディスプレイ及びサブディスプレイに接続される。
【００２５】
又、第１筐体(１)には、図５及び図７に示す様に、回路基板(５)の収容空間を防水するための防水栓(８)が設置されている。
防水栓(８)は、第１筐体(１)を構成するフロントキャビネット(14)とバックキャビネット(15)の間に挟持されており、フレキシブルリード(７)が、Ｕ字状折り返し部(71)と螺旋状巻き付け部(72)の間にて、防水栓(８)をバックキャビネット(15)側からフロントキャビネット(14)側へ貫通している。
【００２６】
上記折り畳み式携帯電話機によれば、フレキシブルリード(７)の巻き付け部(72)が、第２筐体(２)を開くときの回転方向と同じ方向に巻き付けられており、回路基板(５)から引き出されたフレキシブルリード(７)を巻き付け部(72)へ繋げるための経路を形成するべく、シャーシ(17)のヒンジ軸(31)側の端部から回路基板(５)側へ充分に離れた位置に、折り返し部(71)が形成されているので、折り返し部(71)は、操作キー(12)及びその関連部品から充分に離間することになる。
【００２７】
然も、フレキシブルリード(７)は、折り返し部(71)と巻き付け部(72)の間で防水栓(８)によって保持されることになるので、第２筐体(２)の開閉に伴ってフレキシブルリード(７)の折り返し部(71)が変位することはない。
従って、フレキシブルリード(７)の折り返し部(71)が操作キー(12)及びその関連部品と干渉することはない。
【００２８】
上述の如く、本発明の一実施形態である折り畳み式携帯電話機においては、フレキシブルリード(７)の巻き付け部(72)を従来とは逆向きに巻き付けることによって、回路基板(５)上から巻き付け部(72)に至るフレキシブルリード(７)の経路を、回路基板(５)側へ寄せ、これによって、第１筐体(１)のヒンジ軸(31)側の端部に、操作キー(12)及びその関連部品を配備するための空間を確保している。
この様にして、第１筐体(１)の内部空間が有効に活用されている。
【００２９】
又、防水栓(８)は、フロントキャビネット(14)とバックキャビネット(15)の間に挟持されているので、防水栓(８)を固定するための特別な固定部品は不要であり、これによって部品点数の削減が図られている。
【００３０】
尚、本発明の各部構成は上記実施の形態に限らず、特許請求の範囲に記載の技術的範囲内で種々の変形が可能である。例えば、第１筐体(１)と第２筐体(２)とが入れ替わった構成、即ち第２筐体(２)の内部に回路基板(５)が収容され、該回路基板(５)からフレキシブルリード(７)が引き出されている構成に本発明を実施することも可能である。
【符号の説明】
【００３１】
(１)  第１筐体
(14)  フロントキャビネット
(15)  バックキャビネット
(２)  第２筐体
(３)  ヒンジ部
(31)  ヒンジ軸
(５)  回路基板
(７)  フレキシブルリード
(71)  Ｕ字状折り返し部
(72)  螺旋状巻き付け部
(８)  防水栓
【図１】
0005695973.tif 000002
【図２】
0005695973.tif 000003
【図３】
0005695973.tif 000004
【図４】
0005695973.tif 000005
【図５】
0005695973.tif 000006
【図６】
0005695973.tif 000007
【図７】
0005695973.tif 000008
【図８】
0005695973.tif 000009
【図９】
0005695973.tif 000010
【図１０】
0005695973.tif 000011
【図１１】
0005695973.tif 000012